(57)【特許請求の範囲】
【請求項１】
膨張可能な膨張袋を有し、血圧測定に際して生体の一部を圧迫するためにその生体の一部に巻回される血圧測定用圧迫帯であって、
一対のシート部材が相互の滑動が可能に重ねられて成る滑動シートを、その滑動方向が前記圧迫帯の幅方向となる姿勢で、外周面のうちの前記生体の一部の荷重が加えられる部分に備えたことを特徴とする血圧測定用圧迫帯。
【請求項２】
前記滑動シートを構成するために重ねられた前記一対のシート部材は、無端環状のシート部材から構成されたものである請求項１の血圧測定用圧迫帯。
【請求項３】
前記滑動シートを構成する一対のシート部材は、ポリプロピレン樹脂、ポリエチレン樹脂、シリコン樹脂のうちのいずれかから構成されたものである請求項１または２の血圧測定用圧迫帯。
【請求項４】
前記滑動シートは、その滑動方向の寸法よりも小さな装着面を有する装着装置を介して、前記圧迫帯の外周面に装着されたものである請求項１乃至３のいずれかの血圧測定用圧迫帯。
【請求項５】
前記装着装置は、着脱可能な一対のシート状ファスナ部材から成る面状ファスナから構成されたものである請求項４の血圧測定用圧迫帯。
【請求項６】
前記滑動シートは、それを構成するために重ねられた一対のシート部材の間に介在させられて相互の摩擦係数を小さくするための潤滑剤を有するものである請求項１乃至５のいずれかの血圧測定用圧迫帯。
【請求項７】
前記滑動シートは、その滑動方向に直交する方向の端部においてシート部材が相互に閉じられたものである請求項１乃至６のいずれかの血圧測定用圧迫帯。
【請求項８】
前記滑動シートは、該滑動シートの滑動方向に直交する寸法よりも小さな装着面を有する装着装置を介して、前記圧迫帯の外周面に装着されたものである請求項７の血圧測定用圧迫帯。
【発明の詳細な説明】
【０００１】
【産業上の利用分野】
本発明は、血圧測定に際して生体の一部を圧迫するために円筒状に巻回される血圧測定用圧迫帯に関するものである。
【０００２】
【従来の技術】
膨張可能な膨張袋を備え、血圧測定に際して生体の一部を圧迫するためにその生体の一部たとえば上腕部、足首部などの外周において円筒状に巻回される血圧測定用圧迫帯が知られている。このような圧迫帯では、たとえば２つ折りに構成されたナイロン樹脂布製の帯状基体内にホースに接続された膨張袋が収容されることにより構成されるか、或いは２つ折りに構成されたビニール樹脂シート製の帯状基体内の一部に高周波溶着によって気密な膨張袋が一体的に設けられることにより構成される。たとえば特許文献１に示される血圧測定用圧迫帯がそれである。そして、上記血圧測定用圧迫帯の膨張袋は、たとえば生体の上腕に巻回された状態でそれに接続されたホースを通して圧力気体が供給されることにより膨張させられた後、或いはその前において、圧迫圧力が徐々に変化させられる過程で心拍同期に同期して発生する脈波信号の大きさの変化に基づいて血圧決定が行われる。
【０００３】
【特許文献１】
実開昭６１−１３０２０３号公報
【特許文献２】
実開昭６２−１７０００２号公報
【特許文献３】
実開昭６３−０５６００４号公報
【０００４】
【発明が解決しようとする課題】
ところで、血圧測定に際して上記圧迫帯が患者の上腕や足首に巻回された状態で圧迫が行われるに際して、たとえば寝ている姿勢の患者である場合には、圧迫帯の一部がベッドのマット上に接触した状態となり、圧迫帯が巻かれた患者の一部の荷重が支えられる状態となる。しかしながら、このような状態においては、患者自身の動き、圧迫圧の増加に伴う圧迫帯の患者に対する相対移動などによって、圧迫帯とそれに接触するベッドのマットとの間ですべりが発生し、そのすべりのよって発生するノイズが血圧測定のための脈波信号に混入し、血圧測定が異常となったり、血圧測定精度が損なわれたりするという問題があった。
【０００５】
これに対し、特許文献１に示されるように、生体の一部に巻回された圧迫帯を浮かせるように、その圧迫帯の両側において生体の一部を持ち上げるための一対の枕を用いることが提案されているが、このような枕を圧迫帯とともに用意して使用したり保管したりすることは煩雑であるだけでなく、紛失し易いという問題があった。
【０００６】
本発明は以上の事情を背景として為されたものであって、その目的とするところは、圧迫帯とそれに接触するマットなどとの間の擦れによって発生するノイズが従来と変わらない取扱いや操作でも好適に抑制される血圧測定用圧迫帯のホースを提供することにある。
【０００７】
【課題を解決するための手段】
上記目的を達成するための本発明の要旨とするところは、膨張可能な膨張袋を有し、血圧測定に際して生体の一部を圧迫するためにその生体の一部に巻回される血圧測定用圧迫帯であって、一対のシート部材が相互の滑動が可能に重ねられて成る滑動シートを、その滑動方向が前記圧迫帯の幅方向となる姿勢で、外周面のうちの前記生体の一部の荷重が加えられる部分に備えたことにある。
【０００８】
【発明の効果】
このようにすれば、圧迫帯の外周面のうちの前記生体の一部の荷重が加えられる部分には、一対のシート部材が相互の滑動が可能に重ねられて成る滑動シートが、その滑動方向が前記圧迫帯の幅方向となる姿勢で備えられているので、圧迫帯による圧迫中においてその圧迫帯とそれに接触するマットなどとの間の相対移動が発生しても、上記圧迫帯とそれに接触するマットなどとの間に介在させられた滑動シートを構成するために重ねられた一対のシート部材が相互に滑らかに滑動してノイズの発生が抑制されるので、従来と変わらない圧迫帯の取扱いや操作でも、そのノイズの発生が抑制されるだけでなく、そのノイズの発生に起因して血圧測定が異常となったり、血圧測定精度が損なわれたりするという問題が好適に解消される。
【０００９】
【発明の他の態様】
ここで、好適には、前記滑動シートを構成するために重ねられた前記一対のシート部材は、無端環状のシート部材から構成されたものである。このようにすれば、滑動シートを構成するために重ねられた前記一対のシート部材が無端環状のシート部材から構成されているので、その一対のシート部材の相互の滑動が一層円滑とされる。
【００１０】
また、好適には、前記滑動シートを構成する一対のシート部材は、ポリプロピレン樹脂、ポリエチレン樹脂、シリコン樹脂のうちのいずれかから構成されたものである。このようにすれば、シート部材が比較的低い相互の摩擦係数を有する材質から構成されるので、圧迫帯とそれに接触するマットなどとの間の相対移動時において、好適にノイズの発生が抑制される。
【００１１】
また、好適には、前記滑動シートは、その滑動方向の寸法よりも小さな装着面を有する装着装置を介して、前記圧迫帯の外周面に装着されたものである。このようにすれば、滑動シートの滑動範囲が確実且つ十分に得られる。
【００１２】
また、好適には、前記装着装置は、着脱可能な一対のシート状ファスナ部材から成る面状ファスナから構成されたものである。このようにすれば、滑動シートは、圧迫帯の外周面に対して着脱可能に設けられるので、取り替えが容易に行われる。
【００１３】
また、好適には、前記滑動シートは、それを構成するために重ねられた一対のシート部材の間に介在させられて相互の摩擦係数を小さくするための潤滑剤を有するものである。このようにすれば、滑動シートを構成するシート部材間の滑動が一層容易となり、ノイズの発生が好適に抑制される。なお、上記潤滑剤は、たとえばシリコンオイル、グリセリン、油脂、高粘性多糖類などの流体や、滑石などの粉体、或いはそれらシリコンオイル、グリセリン、油脂、高粘性多糖類などの流体や、滑石などの粉体などの潤滑剤が含浸させられた潤滑シート等から構成される。
【００１４】
また、好適には、前記滑動シートは、その滑動方向に直交する方向の端部においてシート部材が相互に閉じられたものである。このようにすれば、滑動シートを構成する一対のシート部材の間に相互の摩擦係数を小さくするための潤滑剤を介在させても、その漏れ出しが好適に防止される。
【００１５】
また、好適には、上記滑動シートは、その滑動方向に直交する寸法よりも小さな装着面を有する装着装置を介して、前記圧迫帯の外周面に装着されたものである。このようにすれば、滑動シートを構成する一対のシート部材の間の相互の滑動の制限が緩和されて一層その滑動が容易とされる。
【００１６】
【発明の好適な実施の形態】
以下、本発明の一実施例を図面に基づいて詳細に説明する。
【００１７】
図１は、本発明の一実施例の圧迫帯１０を備えた血圧測定装置１２の構成を示している。図において、圧迫帯１０の膨張袋１４には、圧力センサ１６および排気制御弁１８が接続されているとともに、切換弁２０を介して空気ポンプ２２が接続されている。上記圧力センサ１６は、膨張袋１４内の圧力を検出し、その圧力を表す圧力信号ＳＰを出力する。上記排気制御弁１８は、圧迫圧制御手段として機能するものであって、その流通断面積を制御することにより膨張袋１４内の空気を徐速排気或いは急速排気させるものである。上記切換弁２０は、袋部収縮手段として機能するために圧迫側位置と吸引側位置とに切り換えられる電磁式切換弁であって、その圧迫側位置では圧迫帯１０の膨張袋１４を空気ポンプ２２の吐出口に連通させ且つ空気ポンプ２２の吸入口を大気に連通させるが、吸引側位置では圧迫帯１０の膨張袋１４を空気ポンプ２２の吸入口に連通させ且つ空気ポンプ２２の吐出口を大気に連通させる。
【００１８】
ローパスフィルタ２４は、圧力センサ１６から出力される圧力信号ＳＰのうち、圧迫帯１０の圧迫圧を表すカフ圧信号ＳＫを弁別して出力し、Ａ／Ｄ変換器２６を介してＣＰＵ３０へ供給する。また、バンドパスフィルタ２８は、圧力センサ１６から出力される圧力信号ＳＰのうち、心拍に同期して発生する圧力振動である脈波信号ＳＭを弁別して出力し、Ａ／Ｄ変換器２６を介してＣＰＵ３０へ供給する。
【００１９】
上記ＣＰＵ３０は、ＲＯＭ３２、ＲＡＭ３４、インターフェース３６などと共にマイクロコンピュータ、すなわち血圧値決定手段として機能する演算制御回路３７を構成するものであって、ＲＡＭ３４の記憶機能を利用しつつ予めＲＯＭ３２に記憶されたプログラムに従って入力信号を処理し、オシロメトリック式アルゴリズムに従って血圧決定し、表示器３８にその血圧値を表示させるとともに、前記排気制御弁１８、切換弁２０、および空気ポンプ２２を制御する。上記ＣＰＵ３０には、起動押釦スイッチ４０からの起動信号ＭＳ、停止押釦スイッチ４２からの停止信号ＭＴ、起動信号発生器４４からの起動信号ＣＳが供給されるようになっており、起動押釦スイッチ４０および起動信号発生器４４は、マニアル／オート切換スイッチ４６によって択一的に有効化されるようになっている。起動信号発生器４４は、たとえばよく知られたフリップフロップ回路などを備えており、図示しない設定器によって数分乃至数十分程度の予め設定された周期にしたがって起動信号ＣＳを繰り返し発生するように構成されている。
【００２０】
上記ＣＰＵ３０は、上記起動信号ＣＳが供給されると、圧迫帯１０の圧迫圧力を予め最高血圧値よりも高く設定された昇圧目標値まで急速に昇圧させ、その後徐速降圧させる過程で得られる脈波振幅の変化に基づいてオシロメトリック法により血圧値を決定する。また、ＣＰＵ３０は、血圧測定開始時における圧迫帯１０への圧力気体の供給に際して、その圧迫帯１０の圧力として検出される圧力上昇速度が予め設定されたエラー判定値よりも大きい場合、すなわち上記急速昇圧の速度よりも大きい場合には、異常であると判定して血圧測定を中止させる。
【００２１】
図２は圧迫帯１０を平面に展開した状態における外周面を示す図、図３は圧迫帯１０を平面に展開した状態における内周面を示す図、図４は圧迫帯１０の側面図である。それら図２乃至図４に示すように、本実施例の圧迫帯１０は、合成繊維で編まれた織布、合成樹脂シートたとえば軟質塩化ビニルシート、ナイロンシートなどの可撓性を備えた帯状の外周側シート部材５０に、同様の形状の内周側シート部材５２がそれらの外周縁部において縫製、装着剤、或いは高周波溶着などの手法によって接合されることにより長手状且つ袋状に構成されている。上記外周側シート部材５０および内周側シート部材５２が袋状の帯状基材を構成している。
【００２２】
上記圧迫帯１０の長手方向の一端部内には、その圧迫帯１０の略半分の長さの矩形状の膨張袋１４が設けられている。また、圧迫帯１０の外周面の膨張袋１４側の端部１０ａと、圧迫帯１０の内周面の膨張袋１４とは反対側の端部１０ｂとには、表面に植設された多数のループ状繊維とそれに係合するように表面に植設された弾性変形可能な合成樹脂製の多数の鉤状突起との係合によって着脱可能に装着する形式の面状ファスナを構成する一対のファスナ部材５４および５６がそれぞれ固設されている。これら一対のファスナ部材５４および５６が相互に着脱可能に装着されることにより、上腕部或いは足首部などの生体の一部５８において、圧迫帯１０の膨張袋１４側の部分１０ａの外側にその膨張袋１４とは反対側の部分１０ｂが重ねられるように圧迫帯１０が円筒状に巻回される。
【００２３】
上記膨張袋１４は、塩化ビニールシート、天然或いは合成のゴムシートなどの比較的軟質の可撓性部材或いは弾性部材により気密に構成されており、その膨張袋１４内にポンプ２２からの圧力気体を供給する、可撓性のホース６０が、その膨張袋１４の幅方向の側縁に接続されている。このホース６０は、天然ゴム、合成ゴムなどの弾性材料から構成された弾性管であって、生体の皮膚との接触を考慮して比較的ゴム硬度の低い材質が選択されている。このホース６０は、コネクタ６２を介して血圧測定装置１２と接続されている。そのホース６０の膨張袋１４とは反対側の一端部内に、コネクタ６２から一体的に突設された筒状のニップルが圧入によって嵌め入れられることにより、ホース６０とコネクタ６２とが気密な状態で相互に連結されている。
【００２４】
そして、上記圧迫帯１０の外周面、特にその外周面のうちたとえば圧迫帯１０の巻回（装着）状態において後述の図７などに示すベッドのマット６４に支持されて生体の一部５８の荷重が加えられる部分には、基本的には２重構造の滑動シート６６が装着装置６８を介して着脱可能に取り着けられている。すなわち、本実施例では、圧迫帯１０の外周面換言すれば外周側シート部材５０のうちの膨張袋とは反対側の部分１０ｂに滑動シート６６が装着装置６８を介して着脱可能に取り着けられている。
【００２５】
図５は上記滑動シート６６の圧迫帯１０への装着構造を説明する図であり、図６は滑動シート６６の構成を説明する斜視図である。図５および図６に詳しく示すように、上記滑動シート６６は、たとえばポリプロピレン樹脂、ポリエチレン樹脂、シリコン樹脂などの低摩擦係数を有する材質や、適度の凹凸などの表面処理が施された一対のシート部材６６ａおよび６６ｂが相互に重ねられることにより構成されており、それらシート部材６６ａおよび６６ｂは無端環状のシート部材の圧迫帯１０側および非圧迫帯１０側の一部である。シート部材６６ａおよび６６ｂは相互に重ねられた状態で無端環状のシート部材の周方向Ｋすなわち開口方向Ａに直交する方向Ｋにおいて相互に滑動させられるようになっている。そして、滑動シート６６は、その滑動方向Ｋが圧迫帯１０の幅方向となる姿勢で、その圧迫帯１０の外周面に装着装置６８を介して着脱可能に設けられている。
【００２６】
上記装着装置６８は、たとえば相互に着脱可能に装着する一対のファスナ部材６８ａおよび６８ｂから成る面ファスナから構成されており、ファスナ部材６８ａがシート６６の中央部に、ファスナ部材６８ｂが圧迫帯１０の外周面の幅方向中央部に縫製、溶着或いは接着などによってそれぞれ固着されている。この装着装置６８は、滑動シート６６の滑動方向Ｋの寸法よりも小さな装着面で滑動シート６６の中央部を圧迫帯１０の外周面に着脱可能に接着させるように、シート部材６６ａおよび６６ｂの圧迫帯１０の幅方向寸法が滑動シート６６の滑動方向Ｋの寸法よりも小さく設定されている。滑動シート６６の滑動方向Ｋの寸法Ｗ1 からそのシート部材６６ａおよび６６ｂの圧迫帯１０の幅方向寸法Ｗ2 を差し引いた値（＝Ｗ1 −Ｗ2 ）が、滑動シート６６の最大滑動ストロークとされている。
【００２７】
以上のように構成された圧迫帯１０によれば、図７に示すように生体の一部５８に装着された圧迫帯１０の外周面のうちの生体の一部５８の荷重が加えられる部分には、一対のシート部材６６ａおよび６６ｂが相互の滑動が可能に重ねられて成る滑動シート６６が、その滑動方向が圧迫帯１０の幅方向となる姿勢で備えられているので、圧迫帯１０による生体の一部５８に対する圧迫中においてその圧迫帯１０とそれに接触するマット６４などとの間の相対移動が発生しても、たとえば図８の実線から破線に示すように、上記圧迫帯１０とそれに接触するマット６４などとの間に介在させられた滑動シート６６を構成するために重ねられた一対のシート部材６６ａおよび６６ｂが相互に滑らかに滑動し、その圧迫帯１０とマット６４などとの間の相対移動によるノイズの発生が抑制されるので、従来と変わらない圧迫帯の取扱いや操作でも、そのノイズの発生が抑制されるだけでなく、そのノイズの発生に起因して血圧測定が異常となったり、血圧測定精度が損なわれたりするという問題が好適に解消される。
【００２８】
また、本実施例によれば、滑動シート６６を構成するために重ねられた一対のシート部材６６ａおよび６６ｂは、無端環状のシート部材から構成されたものであるので、その一対のシート部材６６ａおよび６６ｂが別部材のものから構成されてそれらの端部が相互に固着させられたものに比較して、相互の滑動が一層円滑とされる。
【００２９】
また、本実施例によれば、滑動シート６６を構成する一対のシート部材６６ａおよび６６ｂは、ポリプロピレン樹脂、ポリエチレン樹脂、シリコン樹脂のうちのいずれかのように、比較的低い相互の摩擦係数を有する材質から構成されるので、圧迫帯１０とそれに接触するマット６４などとの間の相対移動時において、好適にノイズの発生が抑制される。
【００３０】
また、本実施例によれば、滑動シート６６は、その滑動方向Ｋの寸法Ｗ1 よりも小さな寸法Ｗ2 の装着面を有する装着装置６８を介して、圧迫帯１０の外周面に装着されたものであるので、その滑動シート６６の滑動範囲が確実且つ十分に得られる。上記滑動シート６６の滑動方向Ｋの寸法Ｗ1 からそのシート部材６６ａおよび６６ｂの圧迫帯１０の幅方向寸法Ｗ2 を差し引いた値（＝Ｗ1 −Ｗ2 ）が、滑動シート６６の最大滑動ストロークとされている。
【００３１】
また、本実施例によれば、装着装置６８は、着脱可能な一対のシート状ファスナ部材６８ａおよび６８ｂから成る面状ファスナから構成されたものであるので、滑動シート６６は圧迫帯１０の外周面に対して着脱可能に設けられるので、取り替えが容易に行われる。
【００３２】
次に、本発明の他の実施例を説明する。なお、以下の説明において前述の実施例と共通する部分には同一の符号を付して説明を省略する。
【００３３】
図９は本発明の他の実施例の滑動シート６６の構成例を説明する断面図であり、図１０はその滑動シート６６の構成を一部を切り欠いて説明する斜視図である。図９および図１０において、本実施例の滑動シート６６は、前述の実施例と同様に、たとえばポリプロピレン樹脂、ポリエチレン樹脂、シリコン樹脂などの低摩擦係数を有する材質や、適度の凹凸などの表面処理が施された一対のシート部材６６ａおよび６６ｂが相互に重ねられることにより構成されており、それらシート部材６６ａおよび６６ｂは無端環状のシート部材の圧迫帯１０側および非圧迫帯１０側の一部である。シート部材６６ａおよび６６ｂは相互に重ねられた状態で無端環状のシート部材の周方向Ｋすなわち開口方向Ａに直交する方向Ｋにおいて相互に滑動させられるようになっている。そして、滑動シート６６の滑動方向Ｋと直交する方向Ａに開口する両端部は、溶着、接着などによって液密あるは気密に閉じられており、相互に重ねられた状態のシート部材６６ａとシート部材６６ｂとの間には、たとえばシリコンオイル、グリセリン、油脂、高粘性多糖類などの流体や、滑石などの粉体、或いはそれらシリコンオイル、グリセリン、油脂、高粘性多糖類などの流体や、滑石などの粉体などの潤滑剤が含浸させられた潤滑シート７０が介在させられている。
【００３４】
上記滑動シート６６を圧迫帯１０の外周面に対して着脱可能に固着するための装着装置６８は、その滑動シート６６の滑動方向に直交する方向Ａの寸法Ｗ3 よりも小さな寸法Ｗ4 を備えており、滑動シート６６の滑動方向Ｋと直交する方向Ａに開口する両端部が閉じられているにも拘わらず、滑動シート６６の滑動方向Ｋにおける滑動が容易に行われるようになっている。
【００３５】
本実施例の滑動シート６６によれば、前述の実施例と同様の効果が得られるのに加えて以下の効果も得られる。すなわち、本実施例の滑動シート６６によれば、それを構成する一対のシート部材６６ａと６６ｂとの間にそれら相互の摩擦係数を小さくするための潤滑剤が含浸させられた潤滑シート７０が介在させられているので、滑動シート６６の滑動機能が一層高められてノイズの発生が好適に抑制される。
【００３６】
また、本実施例の滑動シート６６は、その滑動方向Ａに直交する方向Ｋの両端部においてシート部材６６ａと６６ｂとが相互に閉じられたものであるので、それらシート部材６６ａと６６ｂとの間に介在させられた潤滑剤の漏れ出しが好適に防止される。
【００３７】
また、本実施例の滑動シート６６は、その滑動方向Ｋに直交する方向Ａの寸法Ｗ3 よりも小さな装着面を有する装着装置６８を介して、圧迫帯１０の外周面に装着されるので、滑動シート６６の開口が閉じられたことに起因する一対のシート部材６６ａと６６ｂとの間の相互の滑動の制限が緩和されて一層その滑動が容易とされる。
【００３８】
以上、本発明の一実施例を図面に基づいて説明したが、本発明はその他の態様においても適用される。
【００３９】
たとえば、前述の実施例の圧迫帯１０は、足首だけでなく、上腕などの他の部位の生体の一部５８に対して装着され、その生体の一部５８の荷重を支持する部材との間に滑動シート６６が介在させられることによりノイズの発生抑制効果が得られる。
【００４０】
また、前述の実施例において、滑動シート６６は、装着装置６８を介して圧迫帯１０の外周面に着脱可能に装着されていたが、着脱不能に固着されたものでもよい。
【００４１】
また、前述の図９および図１０の実施例では、滑動シート６６を構成する一対シート部材６６ａと６６ｂとの間に、潤滑剤が含浸させられた潤滑シート７０が介在させられていたが、たとえばシリコンオイル、グリセリン、油脂、高粘性多糖類などの流体や、滑石、黒鉛などの粉体などの潤滑剤が直接介在させられたものであってもよい。
【００４２】
また、前述の実施例の圧迫帯１０は、直線的に伸びる長手状であったが、上腕部、大腿部、足首などに装着されるために、必要に応じて、全体として湾曲した長手状とされたものであっても差し支えない。
【００４３】
その他、一々列挙はしないが、本発明はその趣旨を逸脱しない範囲において種々変更が加えられ得るものである。
【図面の簡単な説明】
【図１】本発明の一実施例の圧迫帯が接続された血圧測定装置の構成を説明するブロック線図である。
【図２】図１の圧迫帯を平面に展開した状態における外周面を示す図である。
【図３】図１の圧迫帯を平面に展開した状態における内周面を示す図である。
【図４】図１の圧迫帯の側面を示す側面図である。
【図５】図１の圧迫帯の外周面に装着される滑動シートの装着構造を説明する図であって、図１および図４のＶ−Ｖ視断面図である。
【図６】図１の圧迫帯の外周面に装着される滑動シートの構成を説明する斜視図である。
【図７】図１の圧迫帯の使用状態を説明する図である。
【図８】図１の圧迫帯に設けられた滑動シートの滑動作動を説明する図である。
【図９】本発明の他の実施例の滑動シートの構成を説明する断面図である。
【図１０】図９の実施例の滑動シートの構成を説明する斜視図である。
【符号の説明】
１０：圧迫帯
１４：膨張袋
６６：滑動シート
６６ａ、６６ｂ：シート部材
６８：装着装置（面状ファスナ）
６８ａ、６８ｂ：ファスナ部材
７０：潤滑シート
【図１】
0003692117.tif 000002
【図２】
0003692117.tif 000003
【図３】
0003692117.tif 000004
【図４】
0003692117.tif 000005
【図５】
0003692117.tif 000006
【図６】
0003692117.tif 000007
【図７】
0003692117.tif 000008
【図８】
0003692117.tif 000009
【図９】
0003692117.tif 000010
【図１０】
0003692117.tif 000011